(57)【要約】      （修正有）【課題】支持軸に、上面ブラシを設けた一対の揺動アームとバランスウエイト装置を支持した門型洗車機において、その支持軸の強度を小さくしても一対の揺動アームの揺動角位置ズレを防止できる門型洗車機を提供する。【解決手段】左右支持軸９に、揺動アーム１０とは軸方向に離れかつ揺動アーム１０に対して１８０°の位相差で、揺動アーム１０と一体に揺動するウエイトアーム１１を設け、ウエイトアーム１１にウエイトアームバランスウエイト１１Ｗを、揺動アーム１０に揺動アームバランスウエイト１０Ｗを設けた。【選択図】図２
2011031689.tif 000002
【特許請求の範囲】
【請求項１】
被洗浄車両に対して相対移動する門型洗車機本体の左右に回転自在に支持される左右一対の支持軸と、
前記左右支持軸にそれぞれ設けた左右揺動アームと、
前記左右揺動アームの先部に回転自在に支持した上面ブラシとを備えた、上面洗浄装置のバランスウエイト装置であって、
前記左右支持軸のそれぞれに、前記揺動アームとは軸方向に離隔しかつ該支持軸を基準として前記上面ブラシの反対側に設けられ、揺動アームと一体に揺動する左右一対のウエイトアームと、
前記左右ウエイトアームにそれぞれ支持されるウエイトアームバランスウエイトと、
前記左右揺動アームの、前記支持軸を超えた基部にそれぞれ支持される揺動アームバランスウエイトと、
を備えたことを特徴とする、門型洗車機の上面洗浄装置におけるバランスウエイト装置。
【請求項２】
前記門型洗車機本体は、その前後方向の前部に側面ブラシを、その後部に上面ブラシを配置したことを特徴とする、前記請求項１記載の門型洗車機の上面洗浄装置におけるバランスウエイト装置。
【請求項３】
前記揺動アームバランスウエイトは、揺動アームに位置調整可能に支持されることを特徴とする、前記請求項１または２記載の門型洗車機の上面洗浄装置におけるバランスウエイト装置。
【発明の詳細な説明】
【技術分野】
【０００１】
本発明は、被洗浄車両に対して相対移動する門型洗車機の、前記車両の車体上面を洗浄する上面洗浄装置におけるバランスウエイト装置に関する。
【背景技術】
【０００２】
従来、洗車機本体の後部にトップブラシブラシを配置し、洗車機本体の左右に支持した回転軸（支持軸）に、一対昇降アーム（揺動アーム）を昇降できるように支持し、左右回転軸には、一対の昇降アームとはずれた位置で、回転軸に対してトップブラシと反対側に昇降アームと一体に揺動する左右一対のウエイトアームを設け、両ウエイトアームにそれぞれウエイトを支持したものは公知である（後記特許文献１参照）。
【先行技術文献】
【特許文献】
【０００３】
【特許文献１】特開２００７−２９６９６４号公報
【発明の概要】
【発明が解決しようとする課題】
【０００４】
しかしながら、前記特許文献１のものでは、回転軸は、強度が小さいと、昇降アームとウエイトアームとの間で過大な捩れが起きて、トップブラシに上下振動が起きたときに、左右の昇降アームの揺動角度にズレを生じて、これらの昇降アームが同期して昇降揺動しない運動になり、トップブラシによる洗浄効果の低下要因になるという問題がある。
【０００５】
そこで、かかる問題を解決するには、左右支持軸の強度を大きくする必要があるが、このようにすれば、支持軸を支持する軸受などの支持構造も大きくなり、洗車機本体の大型化、重量増を招いて大幅なコスト増になるという別の問題がある。
【０００６】
本発明は上記問題に鑑みてなされたもので、強度の小さい左右支持軸の採用を可能にして、前記問題を解決できるようにした、新規な門型洗車機の上面洗浄装置におけるバランスウエイト装置を提供することを目的とする。
【課題を解決するための手段】
【０００７】
前記目的達成のため、請求項１記載の発明は、被洗浄車両に対して相対移動する門型洗車機本体の左右に回転自在に支持される左右一対の支持軸と、前記支持軸にそれぞれ設けた左右揺動アームと、前記左右揺動アームの先部に回転自在に支持した上面ブラシとを備えた、上面洗浄装置のバランスウエイト装置であって、
前記左右支持軸のそれぞれに、前記揺動アームとは軸方向に離隔しかつ該支持軸を基準として前記上面ブラシの反対側に設けられ、揺動アームと一体に揺動する左右一対のウエイトアームと、前記左右ウエイトアームにそれぞれ支持されるウエイトアームバランスウエイトと、前記左右揺動アームの、前記支持軸を超えた基部にそれぞれ支持される揺動アームバランスウエイトと、を備えたことを特徴としている。
【０００８】
前記目的達成のため、請求項２の発明は、前記請求項１記載のものにおいて、前記門型洗車機本体は、その前後方向の前部に側面ブラシを、その後部に上面ブラシを配置したことを特徴としている。
前記目的達成のため、請求項３の発明は、前記請求項１または２記載のものにおいて、  揺動アームバランスウエイトは、揺動アームに位置調整可能に支持されることを特徴としている。
【発明の効果】
【０００９】
請求項各項の発明によれば、左右揺動アームおよび左右バランスウエイトアームを支持する左右支持軸の強度を小さくしても、左右揺動アームの揺動角位置ズレを防止でき、上面ブラシによる洗浄効果を高めることができ、かつ門型洗車機の大幅なコストダウンを図ることができる。
【００１０】
また、請求項３の発明によれば、位置調整のし難いウエイトアームバランスウエイトの位置調整をすることなく、バランスウエイトの位置調整ができ、バランスウエイトの位置調整が容易になる。
【図面の簡単な説明】
【００１１】
【図１】本発明にかかる上面洗浄装置のバランスウエイト装置を備えた門型洗車機の側面図
【図２】図１の２−２線に沿う門型洗車機の後面図
【図３】図１の３−３線に沿う門型洗車機の前面図
【図４】エンブレムを備えた被洗浄車両の上面を洗浄するときの上面ブラシに動きを示す図
【発明を実施するための形態】
【００１２】
本発明の実施の形態を、添付図面１〜４に例示した本発明の実施例に基づいて以下に具体的に説明する。
【００１３】
図１〜３において、門型洗車機の門型洗車機本体１は、被洗車車両Ｖを跨ぎ得る門型フレーム２を備え、この門型フレーム２に設けられた左右一対の前車輪３，３および左右一対の後車輪４，４は、設置面上に敷設される左右一対の走行レール５，５上を往復走行する。前車輪３，３には、洗車機本体１に設けた走行モータ６，６が連結され、これらの走行モータ６，６を駆動して門型フレーム２を一対の走行レール５，５上を往復走行させることができる。
【００１４】
門型洗車機本体１の設置面上には、スタート位置カム７が設けられている。また、門型洗車機本体１の主体部分を構成する門型フレーム２には、スタート位置カム７に当たって門型洗車機本体１がスタート位置にあることを検出するスタート位置検出スイッチ８が設けられている。
【００１５】
門型洗車機本体１の前後方向の後部には、被洗浄車両Ｖの車体上面を洗浄する上面ブラシ装置ＴＢが設けられ、また、その上面ブラシ装置ＴＢよりも前方の、門型洗車機本体１の前後方向の後部には、被洗浄車両Ｖの左、右両側面を洗浄する側面ブラシ装置ＳＢが設けられ、さらに、その前部には、被洗浄車両Ｖの上面を乾燥する昇降可能なトップノズルＴＮおよび被洗浄車両Ｖの側面を乾燥するサイドノズルＳＮが設けられている。
【００１６】
つぎに、図１，２を参照して、上面ブラシ装置ＴＢの構成について説明する。
【００１７】
門型フレーム２の左右両側部には、左右一対の支持軸９，９が同一水平軸線Ｈ−Ｈ上に軸受Ｂ１，Ｂ２を介してそれぞれ回転自在に支持されている。左右支持軸９，９の内端には左右一対の揺動アーム１０，１０の基端寄りの部分が固定され、左右揺動アーム１０，１０の先部間には、水平方向に延びる上面ブラシ回転軸１３が軸受Ｂ３，Ｂ４を介して回転自在に支持され、この回転軸１３に上面ブラシ１６が一体に回転できるように支持されている。
【００１８】
門型洗車機本体１の往行方向の右側の揺動アーム部１０の先端部には、上面ブラシ回転モータ１７が支持されており、この回転モータ１７の出力軸は、上面ブラシ回転軸１３の一端に直結されており、上面ブラシ回転モータ１７の駆動によれば、上面ブラシ１６が上面ブラシ回転軸１３と共に回転される。上面ブラシ１６は、従来公知のもので、合成樹脂製ブラシ毛、ブラシ布帛などにより構成される。
【００１９】
前記左右一対の揺動アーム１０，１０には、それらの揺動アーム１０，１０と一体的に揺動する、本発明にかかるバランスウエイト装置ＢＷが設けられる。
【００２０】
図２に示すように、前記左右一対の支持軸９，９の外端には、ウエイトアーム１１，１１が一体に回転できるように設けられる。ウエイトアーム１１，１１は、支持軸９，９の軸方向に離隔し、かつ前記支持軸を基準として上面ブラシと反対側、すなわち揺動アーム１０，１０とは１８０°の位相差を存して互いに平行に配置される。そして、ウエイトアーム１１，１１の自由端部にウエイトアームバランスウエイト１１Ｗ，１１Ｗが支持される。この実施例では、ウエイトアームバランスウエイト１１Ｗ，１１Ｗは、ウエイトアーム１１，１１に、ボルト・ナットなどの固着手段により固定される。一方、揺動アーム１０，１０の支持軸９，９を超えた基部に揺動アームバランスウエイト１０Ｗ，１０Ｗが支持される。この実施例では、揺動アームバランスウエイト１０Ｗ，１０Ｗは揺動アーム１０，１０の基部に設けた取付孔１０ａ，１０ａにボルト・ナットなどの固着手段により位置調整可能に取り付けられる。  
【００２１】
なお、ウエイトアーム１１，１１に固定されるウエイトアームバランスウエイト１１Ｗ，１１Ｗは、門型フレーム２に固定される外板、内板などにより囲まれていて、外部からの位置調整がし難くなっている。
【００２２】
図２に示すように、上面ブラシ１６を回転する回転モータ１７を有する側の揺動アーム１０（図２右側）のバランスウエイトモーメントアームＬ３は、前記回転モータ１７を有しない側の揺動アーム１０（図２左側）のバランスウエイトモーメントアームＬ４よりも長く、すなわちＬ３＞Ｌ４に設定されており、回転モータ１７を有する側の揺動アーム１０の慣性モーメントが、回転モータ１７を有しない側の揺動アーム１０の慣性モーメントよりも大きくなり、回転モータ１７を有する側の揺動アーム１０が、回転モータ１７を有しない側の揺動アーム１０よりも動き難くなるので、回転モータ１７を有しない側の揺動アーム１０が、回転モータ１７を有する側の揺動アーム１０の揺動に追従し易くすることができ、これにより、上面ブラシ１６を非車体接触位置から車体接触位置に下降させたときの左右一対の揺動アーム１０，１０の揺動角位置ズレ振動を防止することができる。
【００２３】
左右の揺動アーム１０，１０の支持軸９，９の中間部には、作動アーム２０，２０が固定され、これらの作動アーム２０，２０と門型フレーム２の間には、一対の揺動シリンダ２１，２１がそれぞれ連結されており、これらの揺動シリンダ２１の同調駆動により、揺動アーム１０，１０を揺動することができ、また、揺動シリンダ２１，２１の最伸長により、揺動アーム１０，１０を上限位置に回動し、上面ブラシ装置ＴＢは格納位置（図１、実線位置）に保持される。
【００２４】
図１，３に示すように、側面ブラシ装置ＳＢは、門型フレーム２の左右方向に開閉可能な一対の側面ブラシ２３，２３を備える。門型フレーム２の上部に横架固定した案内レール２４には、一対の移動体２５，２５が、駆動輪２６および従動輪２７を介して接近・離間方向に開閉できるように支持されている。駆動輪２６には、開閉モータ２８が連結され、この開閉モータ２８の駆動により、各移動体２５は、案内レール２４に沿って強制開閉される。各移動体２５には、支持筒２９が、その軸線ｌ−ｌを鉛直線ｖ−ｖに対して上から下に向けて外側方に広がる方向に傾斜させて固定されており、各支持筒２９には、側面ブラシ２３を設けた回転軸３０が回転自在に貫通支持されており、この回転軸３０の軸線ｌ′−ｌ′は前記支持筒２９に軸線ｌ−ｌの延長線上にある。
【００２５】
回転軸３０の上端には、移動体２５に支持した回転モータ３１が連結されており、この回転モータ３１の駆動によれば、側面ブラシ２３が回転される。側面ブラシ２３は、従来公知のもので、合成樹脂毛、布などにより構成される。
【００２６】
しかして、側面ブラシ２３の回転軸３０の軸線ｌ′−ｌ′は鉛直線ｖ−ｖに対して上から下に向けて外側方に傾斜していることにより、側面ブラシ２３を被洗浄車両Ｖの、上から下に向けて外側に広がる車体側面に沿わせることができ、側面ブラシ２３の回転による、車両側面の洗浄効果が高められる。
【００２７】
図１において、３３は側面ブラシ装置ＳＢと、トップノズルＴＮおよびサイドノズルＳＮとの間に設けられる入口リンス管、３４は、上面ブラシ装置ＴＢと側面ブラシ装置ＳＢとの間に設けられる出口リンス管である。
【００２８】
つぎに、この実施例の作用について説明する。
【００２９】
被洗浄車両Ｖの上面を洗浄するとき、左右揺動アーム１０，１０は、支持軸９，９回りに自由に上下に揺動可能であって、上面ブラシ１６は、バランスウエイト装置ＢＷのバランスウエイト１０Ｗ、１１Ｗと重量バランスをとりながら自重で下降する。
【００３０】
図１に示すように、走行レール５，５間に停車している、被洗浄車両Ｖの前方のスタート位置（待機位置）に門型洗車機本体１が位置している状態で、上面ブラシ回転モータ１７の駆動により、上面ブラシ１６を矢印ａ方向に回転し、走行モータ６の駆動により、門型洗車機本体１を図１、矢印ｂ方向に往行させると、回転する上面ブラシ１６の外周面が車体上面に接触するに至り、揺動アーム１０が、その支持軸９，９を中心に揺動され、その車体上面をブラシング洗浄する。門型洗車機本体１の往行継続により、上面ブラシ１６は、車体上面に適度の接触面圧をもって追従接触するように、支持軸９，９回りに揺動してそれらの車体面をブラシング洗浄する。
【００３１】
洗浄行程の終了後は、揺動シリンダ２１の駆動力により、上面ブラシ装置ＴＢを、図１実線で示す上方の格納位置に保持させておく。
【００３２】
ところで、図４に示すように、車体上面にエンブレムなどの突起物Ｅが装着された被洗浄車両Ｖの車両上面を洗浄する場合に、その突起物Ｅを回避するために、上面ブラシ１６を上昇させて車体上面から離し、上面ブラシ１６が突起物Ｅを通過してから再び上面ブラシ１６を下降させて車体上面に接触させたときなどに、上面ブラシ１６がバウンドを起こし、そのバウンドにより上面ブラシ１６の上下振動が生じることがあり、支持軸９，９の強度が小さいと、支持軸９，９に作用する捩れを大きくして左右揺動アーム１０，１０に揺動角ズレを生じる。
【００３３】
このようなときに、バランスウエイト装置ＢＷの、揺動アームバランスウエイト１０Ｗ，１０Ｗは、支持軸９，９の、揺動アーム１０，１０とウエイトアーム１１，１１との間に生じる捩れを小さくすることができ、揺動アームバランスウエイト１０Ｗ，１０Ｗを設けない従来のものに比べて、支持軸９，９の強度を小さくしても左右揺動アーム１０，１０の揺動角ズレを生じることを防止することができる。
【００３４】
また、支持軸９，９の強度を小さくしたことにより、その支持軸９，９を支持する軸受Ｂ１，Ｂ２などの周辺部材も小さくすることができ、これにより、門型洗車機自体の小型化、重量軽減が可能になり、その大幅なコストダウンを図ることが可能になる。
【００３５】
以上、本発明の実施例について説明したが、本発明はその実施例に限定されることなく、本発明の範囲内で種々の実施例が可能である。
【００３６】
たとえば、前記実施例の「洗浄」とは、洗剤による「洗浄処理」のほか、「リンス処理」「ポリッシュ処理」などブラシの回転による他の処理を含むものとする。
【符号の説明】
【００３７】
１・・・・・・・・・門型洗車機本体
９・・・・・・・・・支持軸
１０・・・・・・・・揺動アーム
１０Ｗ・・・・・・・揺動アームバランスウエイト
１１・・・・・・・・ウエイトアーム
１１Ｗ・・・・・・・ウエイトアームバランスウエイト
２１・・・・・・・・揺動シリンダ
２３・・・・・・・・側面ブラシ
Ｖ・・・・・・・・・被洗浄車両
【図１】
2011031689.tif 000003
【図２】
2011031689.tif 000004
【図３】
2011031689.tif 000005
【図４】
2011031689.tif 000006